(57)【要約】【課題】釣り針の根がかりを防止又は減少させる釣り針の覆いを提供する。【解決手段】釣り針を収容する内部空間を形成する壁部材と、該釣り針に掛けられた餌を所定の魚が食べることができるように該内部空間と外部とを連通させる該壁部材に形成された開口と、該釣り針に一端が取り付けられた釣り糸を貫通させる該壁部材に形成された貫通孔と、を備えてなる、釣り針の覆いである。また、前記壁部材が、前記貫通孔から先広がりの形状を有するものであってもよい。そして、前記壁部材が、前記外部から前記内部空間に水を進入させる水進入口を有するものであってもよい。【選択図】  図７
2004159601.tif 000002
【特許請求の範囲】
【請求項１】
釣り針を収容する内部空間を形成する壁部材と、
該釣り針に掛けられた餌を所定の魚が食べることができるように該内部空間と外部とを連通させる該壁部材に形成された開口と、
該釣り針に一端が取り付けられた釣り糸を貫通させる該壁部材に形成された貫通孔と、
を備えてなる、釣り針の覆い。
【請求項２】
前記壁部材が、前記貫通孔から先広がりの形状を有するものである、請求項１に記載の覆い。
【請求項３】
前記壁部材が錐体の側面形状を略有し、前記貫通孔が該錐体の頂点に形成されると共に、前記開口が該錐体の底面に形成されるものである、請求項２に記載の覆い。
【請求項４】
前記壁部材が、前記外部から前記内部空間に水を進入させる水進入口を有するものである、請求項２又は３に記載の覆い。
【請求項５】
前記水進入口が、前記釣り針の針先が前記壁部材に接触する部分よりも前記貫通孔に近い部分に形成されたものである、請求項４に記載の覆い。
【請求項６】
前記壁部材が、透明な材質によって形成されたものである、請求項１乃至５のいずれかに記載の覆い。
【請求項７】
前記壁部材が、可撓性を有する材質によって形成されたものである、請求項１乃至６のいずれかに記載の覆い。
【請求項８】
請求項１乃至７のいずれかに記載の覆いと、
前記貫通孔を貫通した前記釣り糸と、
を含んでなる、釣り仕掛け。
【請求項９】
前記釣り糸が、前記覆いに対して前記釣り糸の長手方向に関し固定されているものである、請求項８に記載の釣り仕掛け。
【請求項１０】
前記釣り糸が、前記貫通孔に遊嵌されているものである、請求項８に記載の釣り仕掛け。
【請求項１１】
前記釣り糸が前記覆いに対して前記釣り糸の長手方向の少なくとも一方向に所定量以上移動することを制限する移動制限手段を、さらに含んでなる、請求項１０に記載の釣り仕掛け。
【請求項１２】
前記移動制限手段は、前記釣り糸が、前記覆いに対して前記釣り糸の長手方向の両方向に所定量以上移動することを制限するものである、請求項１１に記載の釣り仕掛け。
【発明の詳細な説明】
【０００１】
【発明の属する技術分野】
本発明は、釣り針の覆いに関し、より詳細には、釣り針の根がかり（釣り針の針先が、水中に存する岩、水草、海草、ロープ、樹木等に引っかかることをいう。以下、同じ。）を防止又は減少させる釣り針の覆いに関する。
【０００２】
【従来の技術】
釣りは、海、川、湖、いけす等において魚を捕獲するために、業として又は趣味として多用されている。
通常、釣り糸の先に釣り針を取り付け、該釣り針に所望の魚が好む餌（生き餌と擬似餌とを含む。）を掛ける（ここにいう「掛ける」とは、餌を釣り針に刺して餌を釣り針に取り付けることをいう。）。この餌を掛けた釣り針を水中に下ろし、魚が該餌を食べると、該釣り針の針先が該魚の口の中に刺さり該釣り針が該魚に固定される。かかる状態で、該釣り針が取り付けられた該釣り糸をたぐり寄せることで、該魚を釣り上げ捕獲することができる。
このように釣り針の針先は、魚の口の中に確実に刺さるように極めて鋭く形成されている。
【０００３】
【発明が解決しようとする課題】
しかしながら、極めて鋭い釣り針の針先は、魚の口の中に刺さるばかりではなく、水中に存する岩、水草、海草、ロープ、樹木等の物体に刺さることもある。このように水中に存する岩、水草、海草、ロープ、樹木等の物体に針先が刺さることを「根がかり」といい、この状態から何とかして（例えば、釣り針が取り付けられた釣り糸を張ったり緩めたりすることによって針先が外れることがある。）針先を該物体から外せば釣り針を回収することができるが、針先を該物体から外せない場合は釣り糸を切断する必要がある。釣り糸を切断すれば、無論、釣り針を回収することはできないため、新しい釣り針を釣り糸に取り付けると共に該新しい釣り針に餌を新しく掛けて、釣りを再開する必要があった。
このように根がかりにより釣り糸を切断すると、新しい釣り針及び新しい餌が必要になることから釣りに要する費用が増加すること（釣りの種類によっては、新しく天秤や錘も要するものがあり、かかる場合であれば一層費用を増加させる。）に加え、新しい釣り針を釣り糸に取り付け該新しい釣り針に餌を新しく掛けるのに時間を要することから実質的な釣りの時間が短くなるといった問題があった。さらに、釣り針や釣り糸（釣りの種類によっては、天秤や錘等も）が水中に残留することによる環境への悪影響も問題となっていた。
【０００４】
そこで、本発明では、釣り針の根がかりを防止又は減少させる釣り針の覆いを提供することを目的とする。
【０００５】
【課題を解決するための手段】
本発明の釣り針の覆い（以下、「本覆い」という。）は、釣り針を収容する内部空間を形成する壁部材と、該釣り針に掛けられた餌を所定の魚が食べることができるように該内部空間と外部とを連通させる該壁部材に形成された開口と、該釣り針に一端が取り付けられた釣り糸を貫通させる該壁部材に形成された貫通孔と、を備えてなる、釣り針の覆いである。
こうすることで貫通孔に釣り糸を貫通させ、該釣り糸の一端に取り付けられた釣り針が、壁部材の内部空間に収容されるようにすれば、該釣り針の針先が、水中に存する岩、水草、海草、ロープ、樹木等の物体に接触することを防止又は減少させることができ、それによって本覆いは、釣り針の根がかりを防止又は減少させることができる。一方、開口は、釣り針に掛けられた餌を所定の魚が食べることができるように内部空間と外部とを連通させるので、所定の魚は該餌を食べて釣り針の針先が該魚の口の中に刺さり該魚を釣り上げ捕獲することができる。即ち、本覆いを用いることで、釣り針の根がかりを効果的に防止又は減少させることができると共に、魚を効率的に釣り上げ捕獲することができる。
なお、壁部材の「内部空間」とは、ある一平面によって壁部材を切断した際、該平面と壁部材とによって取り囲まれる空間をいう。そして、「釣り針を収容する内部空間」とは、釣り針の少なくとも針先が内部空間に収容されるものであれば足り、釣り針の全部が内部空間に収容されることを要するものではない。
また、「釣り針に一端が取り付けられた釣り糸」とは、釣り糸の一端に直接又は間接に釣り針が取り付けられていることを意味し、例えば、釣り糸の一端が釣り針に直接結びつけられている場合や、釣り糸の一端と釣り針との間を他の連結手段（例えば、猿環（さるかん）や釣り糸等）が結びつけている場合等を含む。
【０００６】
前記壁部材が、前記貫通孔から先広がりの形状を有するもの（以下、「先広がり本覆い」という。）であってもよい。
こうすることで本覆いが水中に配設された際、水流（例えば、海中に配設されれば潮の流れや、川の中に配設されれば川の流れ等）があれば、該先広がりの方向が安定して下流に向く（前記貫通孔が上流側に向く。）ようになる。このため本覆いの姿勢が安定した状態となることから、該姿勢が変化して魚を驚かすことがなくなり、魚を効率的に釣り上げることができる（該姿勢が変化して魚を驚かせば、魚が釣れなくなる。）。
【０００７】
先広がり本覆いの場合、前記壁部材が錐体の側面形状を略有し、前記貫通孔が該錐体の頂点に形成されると共に、前記開口が該錐体の底面に形成されるものであってもよい。
こうすることで、前記壁部材が錐体の側面形状を略有し、前記貫通孔が該錐体の頂点に形成され、前記開口が該錐体の底面に形成されるので、水中の底に本覆いが着底した際、水流によって貫通孔が上流側に向き該先広がりの方向が下流に向いた場合にも、開口が該底によって閉じられたり開口から内部空間へ魚が進入することを妨げないので魚を効率的に釣り上げることができる。即ち、水流は水平方向に向いて流れることが多く、さらに水中の底も水平に近いことがおおいので、該錐体の側面（外面）が該底に沿うように本覆いは位置することが多い。かかる場合であれば、該錐体の軸の周りに関して本覆いがどのような回転位置で着底しても、開口は、水中の底によって閉じられたり開口から内部空間へ魚が進入することを妨げない（例えば、錐体の側面に開口が形成されると、開口が下方に位置する該回転位置であれば、開口から水中の底までの距離が短く、開口が底によって閉じられるようになり、開口から内部空間へ魚が進入することを妨げることがある。）。
なお、「錐体の側面」とは、錐体の頂点と底面との間に存する面をいう。
また、錐体の一例を挙げれば、円錐体、楕円錐体、角錐体を例示することができる。
【０００８】
先広がり本覆いの場合、前記壁部材が、前記外部から前記内部空間に水を進入させる水進入口を有するもの（以下、「水進入口本覆い」という。）であってもよい。
先広がり本覆いの場合、壁部材が貫通孔から先広がりの形状を有するので、本覆いを水中に潜入させようとした際、本覆いが水面に船のように浮かんでうまく本覆いを水中に潜入させることができない場合がある。特に、釣りの種類によっては（例えば、投げ釣り）、貫通孔を貫通した釣り糸のうち釣り針が取り付けられた方とは逆側（即ち、釣り人寄り）に錘が取り付けられることがあり、このときには錘の重さが所定範囲のものであれば、該錘は、本覆いを安定した姿勢で水面に浮かばせるよう作用するので、本覆いを水中に潜入させることが一層困難になることがある。
このため外部から内部空間に水を進入させる水進入口を壁部材が有するようにすれば、水面に落下した本覆いの内部空間への水の進入を助け、本覆いを水中に容易に潜入させることができる。
【０００９】
水進入口本覆いの場合、前記水進入口が、前記釣り針の針先が前記壁部材に接触する部分よりも前記貫通孔に近い部分に形成されたものであってもよい。
釣り針の針先が水進入口に接触すると、針先が水進入口に引っかかったり、針先が水進入口から外部に突出して根がかりの原因になり得る。このため水進入口が、釣り針の針先が壁部材に接触する部分よりも貫通孔に近い部分に形成されるようにすれば、釣り針の針先が水進入口に接触することなく、これらの問題を防止することができる。
【００１０】
前記壁部材が、透明な材質によって形成されたものであってもよい。
なお、ここにいう「透明」とは、所定の魚が、釣り針に掛けられた餌を壁部材を通して視覚により認識することができることをいう。
こうすることで、所定の魚が、釣り針に掛けられた餌を壁部材を通して視覚により認識することができるので、所定の魚が餌を見つけやすく魚を効率的に釣り上げ捕獲することができる。
【００１１】
前記壁部材が、可撓性を有する材質によって形成されたものであってもよい。
こうすることで、本覆い（壁部材）が、狭い隙間（例えば、岩と岩との間）に引っかかったような場合にも、釣り糸を引っ張る等して本覆い（壁部材）に力を加えることで、本覆い（壁部材）が変形して該隙間を通過することができることがあるので、本覆いが何かの物体に引っかかって回収できなくなることを防止又は減少させることができる。
とりわけ、先広がり本覆いの場合、壁部材が、可撓性を有する材質によって形成されていれば、本覆い（壁部材）が、狭い隙間に引っかかったような場合にも、釣り糸を引っ張る等して本覆い（壁部材）に力を加え変形させることで、本覆い（壁部材）が該隙間をうまく通過することができることが多い。
【００１２】
本覆いは、それ単独を釣り場に持って行き、釣り場にて釣り糸と組み合わせる等して釣り仕掛けにして用いるようにしてもよいのは言うまでもないが、本覆いと釣り糸とを予め組み合わせて釣り仕掛けとしておいてもよい。
即ち、本覆いと釣り糸とを予め組み合わせた釣り仕掛け（以下、「本仕掛け」という。）は、本覆いと、前記貫通孔を貫通した前記釣り糸と、を含んでなる、釣り仕掛けである。
このように本仕掛けとしておけば、本覆いの貫通孔に釣り糸を貫通させる作業を要することなく本覆いを用いることができるので、迅速かつ容易に本覆いを用いて釣ることができる。
【００１３】
本仕掛けにおいて、前記釣り糸が、本覆いに対して前記釣り糸の長手方向に関し固定されているものであってもよい。
こうすることで本覆いの貫通孔を貫通した釣り糸が、該貫通孔から不意に脱落することがないので（貫通孔から釣り糸が脱落すれば、本覆いの貫通孔に釣り糸を貫通させる作業を行わなければならない。）、確実に迅速かつ容易に本覆いを用いて釣ることができる。
【００１４】
本仕掛けにおいて、前記釣り糸が、前記貫通孔に遊嵌されているもの（以下、「遊嵌仕掛け」という。）であってもよい。
こうすることで、釣り針に掛けられた餌を魚がくわえて引っ張った際、本覆いに釣り糸が固定されていないので（本覆いが釣り糸に対して釣り糸の長手方向に関し遊動可能である。）、本覆いを移動させることなく餌を魚が引っ張っることができ、魚に違和感を与えないことから魚が餌を十分飲み込むので、確実に魚を釣り上げ捕獲することができる（餌を魚が引っ張っる際に本覆いが移動しなければならない場合、餌を引っ張ることに相当の抵抗が生じ、魚は違和感を感じて餌を放してしまうことがある。）。
【００１５】
遊嵌仕掛けの場合、前記釣り糸が本覆いに対して前記釣り糸の長手方向の少なくとも一方向に所定量以上移動することを制限する移動制限手段を、さらに含んでなるものであってもよい。
こうすることで移動制限手段は、本覆いの貫通孔を貫通した釣り糸が、本覆いに対して釣り糸の長手方向の少なくとも一方向に所定量以上移動することを制限するので、該少なくとも一方向に釣り糸が移動して貫通孔から釣り糸が不意に脱落することがないので（貫通孔から釣り糸が脱落すれば、本覆いの貫通孔に釣り糸を貫通させる作業を行わなければならない。）、確実に迅速かつ容易に遊嵌仕掛けを用いて釣ることができる。
そして、移動制限手段は、前記釣り糸が、前記覆いに対して前記釣り糸の長手方向の両方向に所定量以上移動することを制限するものであってもよく、こうすれば該両方向のいずれにも釣り糸が移動して貫通孔から釣り糸が不意に脱落することがないので、一層確実に迅速かつ容易に遊嵌仕掛けを用いて釣ることができる。
【００１６】
【発明の実施の形態】
以下、本発明の実施の形態を図面を参照して説明する。しかしながら、これらによって本発明は何ら制限されるものではない。
【００１７】
図１は、一実施形態の本発明の釣り針の覆い（本覆い）１１を示す斜視図であり、図２は本覆い１１の平面図（図１中、矢印Ａ方向から見たところを示している。）であり、図３は本覆い１１の正面図（図２中、矢印Ｂ方向から見たところを示している。）であり、図４は図３のＣ−Ｃ断面図である。図１乃至図４を参照して、本覆い１１について説明する。
【００１８】
本覆い１１は、図示しない釣り針を収容する内部空間１３を形成する壁部材１５と、内部空間１３と外部２１とを連通させる壁部材１５に形成された開口１７と、図示しない釣り糸を貫通させる壁部材１５に形成された貫通孔１９と、を備えてなる。
ここに壁部材１５は、可撓性を有する無色透明な樹脂材料（一例を挙げれば、ポリエチレンやポリプロピレン等）の薄い板状部材によって形成されている。なお、壁部材１５は、ここでは親指と人差し指とで挟むことで、壁部材１５の内面同士を簡単に接触させることができる程度の可撓性を有している。
壁部材１５は、ここでは円錐体（直円錐体）の側面形状を略有している。そして、貫通孔１９は、該円錐体（直円錐体）の頂点部分に形成されると共に、開口１７は、該円錐体（直円錐体）の底面部分に形成されている。従って、ここでは壁部材１５は、貫通孔１９から先広がりの形状を有している。なお、ここでは壁部材１５の内部空間１３は、ある一平面（ここでは該円錐体（直円錐体）の底面部分と平行な平面であって、該底面部分から該円錐体（直円錐体）の頂点部分側に微少距離離れた平面とすることができる。無論、該平面は、開口１７と貫通孔１９との間に存する。）によって壁部材１５を切断した際、該平面と壁部材１５とによって取り囲まれる空間をいう（開口１７と貫通孔１９との間に存する該円錐体（直円錐体）の内部の空間）。
また、壁部材１５が、外部２１から内部空間１３に水を進入させる水進入口１５ｈ（ここでは合計４個。全て略円形）を有している。
【００１９】
また、壁部材１５の形状及び大きさは、所定の魚を釣るための釣り針（図示せず）を内部空間１３が収容することができ、開口１７が、釣り針（図示せず）に掛けられた餌（図示せず）を所定の魚が食べることができるように内部空間１３と外部２１とを連通させることができ、そして貫通孔１９が、釣り針（図示せず）に一端が取り付けられた釣り糸（図示せず）を貫通させることができるように決められている。
そして、本覆い１１は様々な方法によって製造されることができるが、例えば、本覆い１１の形状に合わせて切断した薄い樹脂フィルム又は樹脂板を湾曲させて端部同士を固定（接着や融着等）する方法や、樹脂材料を用いた射出成形等によって製造されてよい。
【００２０】
図５は、本覆い１１と釣り糸３１とを組み合わせた釣り仕掛け（本仕掛け）を示す一部断面図（本覆い１１については、図４と同様の位置にて切断したものを示している。）である。図５を参照して、本仕掛け４１について説明する。
本仕掛け４１は、本覆い１１と、本覆い１１の貫通孔１９を貫通した釣り糸３１と、を含んでなる（ここでは釣り糸３１は貫通孔１９に遊嵌されている。）。
釣り糸３１の一端には猿環（さるかん）３３の一端が取り付けられており、さらに猿環（さるかん）３３の他端には釣り糸３５の一端が結ばれている。そして、釣り糸３５の他端には、釣り針３７が取り付けられている。
【００２１】
一方、釣り糸３１の該一端近傍には、ビーズ玉３８ａ、３８ｂが外嵌（遊嵌）されている。そして、釣り糸３１の該一端から所定の距離だけ離れた釣り糸３１の位置にゴム止め３９ａ、３９ｂが外嵌されている。ゴム止め３９ａ、３９ｂは、いずれもその内面が釣り糸３１に密接しており、ある程度の力を加えなければ釣り糸３１の長手方向に沿って移動させることができないようになっている。
このような本仕掛け４１は、釣り糸３１の該一端からゴム止め３９ａ、３９ｂを釣り糸３１に外嵌し、釣り糸３１の該一端をビーズ玉３８ｂに通し、釣り糸３１の該一端を本覆い１１の貫通孔１９に通し、釣り糸３１の該一端をビーズ玉３８ａに通した後、釣り糸３１の該一端に猿環（さるかん）３３を取り付け、さらに釣り糸３５と釣り針３７とを取り付けることで形成することができる。
【００２２】
そして、ビーズ玉３８ａ、３８ｂはいずれも貫通孔１９を通過することができない大きさにされると共に、ビーズ玉３８ａは猿環（さるかん）３３の前記一端を通過させることができず（即ち、釣り糸３１が遊嵌されたビーズ玉３８ａの穴を猿環（さるかん）３３の前記一端は通過することができない。）、さらにビーズ玉３８ｂはゴム止め３９ａ、３９ｂを通過させることができないようになっている（即ち、釣り糸３１が遊嵌されたビーズ玉３８ｂの穴をゴム止め３９ａ、３９ｂは通過することができない。）。このため釣り糸３１が本覆い１１に対して釣り糸３１の長手方向（図５中、矢印Ｄ方向）に移動することはある範囲に制限される。具体的には、釣り糸３１が本覆い１１に対して釣り糸３１の長手方向（図５中、矢印Ｄ方向）に関し最も上方（図５中、矢印Ｄ１方向）に移動した状態を示したのが図５（ここでは猿環（さるかん）３３の前記一端により押し上げられたビーズ玉３８ａが壁部材１５の内側に当接している。）であり、釣り糸３１が本覆い１１に対して釣り糸３１の長手方向（図５中、矢印Ｄ方向）に関し最も下方（図５中、矢印Ｄ２方向）に移動した状態を示したのが図６（ゴム止め３９ａが上方から当接したビーズ玉３８ｂが壁部材１５に当接している。）である。このように釣り糸３１は、本覆い１１に対して釣り糸３１の長手方向（図５中、矢印Ｄ方向）に関して、図５に示す位置から図６に示す位置まで自由に移動することができる。
なお、ゴム止め３９ａ、３９ｂにある程度の力を加えて釣り糸３１の長手方向に沿って移動させることで、釣り糸３１が本覆い１１に対して釣り糸３１の長手方向（図５中、矢印Ｄ方向）に関し最も下方（図５中、矢印Ｄ２方向）に移動したときの位置（図６に示す位置）を調節することができる。
【００２３】
このように図５及び図６に示された本仕掛け４１においては、釣り糸３１が本覆い１１に対して釣り糸３１の長手方向（図５中、矢印Ｄ方向）の少なくとも一方向に所定量以上移動することを制限する移動制限手段が、ゴム止め３９ａ、３９ｂとビーズ玉３８ｂとによって形成されるもの（第１の移動制限手段）と、猿環（さるかん）３３（の前記一端）とビーズ玉３８ａとによって形成されるもの（第２の移動制限手段）と、の両方を含んでいる。ゴム止め３９ａ、３９ｂとビーズ玉３８ｂとによって形成される第１の移動制限手段と、猿環（さるかん）３３（の前記一端）とビーズ玉３８ａとによって形成される第２の移動制限手段と、によって、釣り糸３１が本覆い１１に対して釣り糸３１の長手方向の両方向に所定量以上移動することを制限するようになっている。
そして、水進入口１５ｈは、釣り針３７の針先３７ａが壁部材１５に接触する部分よりも貫通孔１９に近い部分に形成されている。なお、針先３７ａが壁部材１５に接触する部分は、猿環（さるかん）３３の前記一端（図５中では、上端）を中心に猿環（さるかん）３３と釣り糸３５と釣り針３７とが振られることや、釣り糸３５が撓むことや、釣り糸３１が本覆い１１に対して釣り糸３１の長手方向に関して図５に示す位置から図６に示す位置まで自由に移動すること等を考慮すれば、図５に示された針先３７ａよりもやや上方の位置から下の部分（例えば、図５中、破線Ｅの位置から下の部分）になる。
【００２４】
図７は、本仕掛け４１の使用状態を簡単に示した図である。図７を参照して、本仕掛け４１の使用状態を簡単に説明する。ここでは投げ釣りの仕掛けとして本仕掛け４１を用いている。
図５に示した本仕掛け４１の釣り糸３１の他端（前記一端（図５では下端）とは逆の端）を、図示しない投げ釣り用の天秤（無論、投げ釣り用の竿からのびる釣り糸に該天秤は結び付けられている。）に結びつけ固定し、釣り針３７に餌５１（ここでは生き餌たる青イソメ）を掛け、その後、本仕掛け４１を海の沖に向かって投げ、本仕掛け４１が海底５３に着底したところを図７は示している。図７に示すように、潮の流れの向き（図７中、矢印Ｇにて示す。）に沿って本覆い１１が向く（先広がりの方向（ここでは開口１７が存する方向）が下流に向き、貫通孔１９が上流側に向く。）。
また、潮の流れ（潮の流れによって本覆い１１に加わる下流方向（図７中、矢印Ｇ方向）への力の作用）によって、本覆い１１が、釣り糸３１の長手方向に関し最も釣り針３７側に移動している（即ち、図５に示した状態）。
【００２５】
そして、図７においては、魚５５（ここではアナゴ）が、釣り針３７に掛けられた餌５１をくわえたところを示している。この後、魚５５が餌５１を引っ張りつつ餌５１を飲み込む。図８は、魚５５が餌５１を飲み込んだ状態を示した図（理解を容易にするため、魚５５は破線にて示している。）であり、図７と図８とを比較すると、本覆い１１に釣り糸３１が固定されていないので（本覆い１１が釣り糸３１に対して釣り糸３１の長手方向に関し遊動可能である。）、本覆い１１を移動させることなく餌５１を魚５５が引っ張っることができ、魚５５に違和感を与えることがないことから魚５５が餌５１を十分飲み込んでいる。このため確実に魚５５を釣り上げ捕獲することができる。
なお、本覆い１１に釣り糸３１が固定されていないことは、釣り糸３１が切れたり傷んだりした際等に、本覆い１１から釣り糸３１を取り外し、他の釣り糸に本覆い１１を取り付けて再使用することも可能にする。そして、釣り糸３１の前記一端（図５中では、下端）側に物（ここでは、ビーズ玉３８ａ、猿環（さるかん）３３、釣り糸３５、釣り針３７）を取り付ける際に、前記一端（図５中では、下端）側を開口１７から長く引き出して作業することができる（かかる作業後、所定位置まで前記一端（図５中では、下端）側を引っ込めればよい。）ので容易に作業することができ便利である。
【００２６】
以上説明したように、本覆い１１は、釣り針３７を収容する内部空間１３を形成する壁部材１５と、釣り針３７に掛けられた餌５１を所定の魚５５が食べることができるように内部空間１３と外部２１とを連通させる壁部材１５に形成された開口１７と、釣り針３７に一端が取り付けられた釣り糸３１を貫通させる壁部材１５に形成された貫通孔１９と、を備えてなる、釣り針の覆いである。
そして、ここでは壁部材１５が、貫通孔１９から先広がりの形状を有する。
また、壁部材１５が錐体（ここでは直円錐体）の側面形状を略有し、貫通孔１９が該錐体の頂点に形成されると共に、開口１７が該錐体の底面に形成されている。
【００２７】
壁部材１５が、外部２１から内部空間１３に水を進入させる水進入口１５ｈを有する。
また、水進入口１５ｈが、釣り針３７の針先３７ａが壁部材１５に接触する部分よりも貫通孔１９に近い部分に形成されている。
そして、壁部材１５が、可撓性を有する透明な材質によって形成されている。
【００２８】
さらに、本仕掛け４１は、本覆い１１と、貫通孔１９を貫通した釣り糸３１と、を含んでなる、釣り仕掛けである。
そして、釣り糸３１が貫通孔１９に遊嵌されている。また、ゴム止め３９ａ、３９ｂとビーズ玉３８ｂとによって第１の移動制限手段が形成されると共に、猿環（さるかん）３３（の前記一端）とビーズ玉３８ａとによって第２の移動制限手段が形成されている。これら第１の移動制限手段と第２の移動制限手段とにより、釣り糸３１が本覆い１１に対して釣り糸３１の長手方向の両方向に所定量以上移動することが制限される（該両方向の一方向に関して第１の移動制限手段が制限し、該両方向の他方向に関して第２の移動制限手段が制限する。）。
なお、ここではそうしていないが、釣り糸３１が、本覆い１１に対して釣り糸３１の長手方向に関し固定されるようにしてもよい。
【図面の簡単な説明】
【図１】一実施形態の本発明の釣り針の覆い（本覆い）を示す斜視図である。
【図２】本覆いの平面図である。
【図３】本覆いの正面図である。
【図４】図３のＣ−Ｃ断面図である。
【図５】本覆いと釣り糸とを組み合わせた釣り仕掛け（本仕掛け）を示す一部断面図である。
【図６】釣り糸が本覆いに対して釣り糸の長手方向に関し最も下方に移動した状態の本仕掛けを示す一部断面図である。
【図７】魚が、釣り針に掛けられた餌をくわえたところを示す図である。
【図８】魚が餌を飲み込んだ状態を示した図である。
【符号の説明】
１１        本覆い
１３        内部空間
１５        壁部材
１５ｈ      水進入口
１７        開口
１９        貫通孔
２１        外部
３１        釣り糸
３３        猿環（さるかん）
４１        本仕掛け
３５        釣り糸
３７        釣り針
３７ａ      針先
３８ａ、３８ｂ  ビーズ玉
３９ａ、３９ｂ  ゴム止め
５１        餌
５３        海底
５５        魚
【図１】
2004159601.tif 000003
【図２】
2004159601.tif 000004
【図３】
2004159601.tif 000005
【図４】
2004159601.tif 000006
【図５】
2004159601.tif 000007
【図６】
2004159601.tif 000008
【図７】
2004159601.tif 000009
【図８】
2004159601.tif 000010